(57)【要約】      （修正有）【課題】使用開始前の収納ボックスに、第三者が不審物や爆発物を収納したり、仕掛けたりする不正使用を確実に防止することができる貴重品保管装置を提供する。【解決手段】扉２の施錠・解錠をそれぞれ設置された電気錠で行なう、少なくとも１個以上の収納ボックス４を備えた貴重品保管装置において、利用者を施設側で特定することができる施設側で承認を得た施設側承認データを読み取る施設側承認データ読み取り手段７及び生体認証読み取り手段８と、生体認証読み取り手段８で読み取った生体認証データおよび施設側承認データ読み取り手段７で読み取った施設側承認データに基づいて、電気錠で施錠されている収納ボックスの扉の解錠信号を出して解錠し、収納ボックス内に貴重品を収納して施錠し、生体認証読み取り手段７で生体認証データを再度読み取り、貴重品預け入れ時の生体認証データと一致した場合にだけ解錠できる信号を電気錠に出力する。【選択図】図１
2015132109.tif 000002
【特許請求の範囲】
【請求項１】
扉の施錠・解錠をそれぞれ設置された電気錠で行なう、少なくとも１個以上の収納ボックスを備えた貴重品保管装置において、前記収納ボックスあるいは複数個の収納ボックスを備えた筐体に設置され、あるいは該収納ボックスとは異なる場所に設置された、利用者を施設側で特定することができる施設側で承認を得た施設側承認データを読み取る施設側承認データ読み取り手段と、前記収納ボックスあるいは複数個の収納ボックスを備えた筐体に設置された生体認証読み取り手段と、前記収納ボックスあるいは複数個の収納ボックスを備えた筐体に設置された前記生体認証読み取り手段で読み取った生体認証データおよび前記施設側承認データ読み取り手段で読み取った施設側承認データを処理記憶するとともに、前記生体認証データおよび施設側承認データに基づいて、前記電気錠で施錠されている収納ボックスの扉の解錠信号を出して解錠し、該解錠した収納ボックス内に貴重品を収納して施錠し、施錠された収納ボックスより収納した貴重品を取り出す場合に前記生体認証読み取り手段で生体認証データを再度読み取り、貴重品預け入れ時の生体認証データと一致し場合にだけ解錠できる信号を前記電気錠に出すコンピュータとからなることを特徴とする貴重品保管装置。
【請求項２】
施設側で承認を得た施設側承認データは施設側承認データ読み取り手段で読み取ることができるカード、暗証番号、バーコード、磁気カード、セキュリティトークン、非接触ＩＣカード、接触ＩＣカード、使用者の情報が入力された運転免許証や公共機関で使用されているＩＣカード、生体認証、携帯電話、携帯端末、ウエブサイト、アプリ等のいずれか、あるいは施設側から貸与された施設側承認データ読み取り手段で読み取ることができる会員証、カード、鍵、トランスポンダキー、バーコード、磁気カード、セキュリティトークン、非接触ＩＣカード、接触ＩＣカード、携帯電話、携帯端末等のいずれかであることを特徴とする請求項１記載の貴重品保管装置。
【請求項３】
施設側データ読み取り手段はカード読み取り装置、バーコード読み取り装置、暗証番号読み取り装置、磁気カード読み取り装置、セキュリティトークン読み取り装置、鍵シリンダー、トランスポンダキー読み取り装置、非接触ＩＣカード読み取りリーダ、接触ＩＣカード読み取りリーダ、生体認証リーダ、携帯電話認証リーダのいずれかであることを特徴とする請求項１記載の貴重品保管装置。
【請求項４】
生体認証読み取り装置は指紋リーダ、掌紋リーダ、光彩模様リーダ、顔の輪郭リーダ、声紋リーダ、静脈リーダのいずれか、あるいはこれらを任意に２個以上組み合わせたものであることを特徴とする請求項１記載の貴重品保管装置。
【請求項５】
扉の施錠・解錠をそれぞれ設置された電気錠で行なう、複数個の収納ボックスを筐体に備えた貴重品保管装置において、前記筐体に設置され、あるいは該筐体とは異なる場所に設置された、利用者を施設側で特定することができる施設側で承認を得た施設側承認データを読み取る施設側承認データ読み取り手段と、前記複数個の収納ボックスに設けた、空いているか、使用しているかを表示する表示装置と、前記筐体に設置された、利用者が空いている収納ボックスの番号を入力することができる操作手段と、前記筐体に設置された生体認証読み取り手段と、前記筐体に設置された前記生体認証読み取り手段で読み取った生体認証データ、前記施設側データ読み取り手段で読み取った施設側承認データおよび、前記操作手段で入力された収納ボックスの番号を処理記憶するとともに、使用開始時には前記生体認証データ、施設側承認データおよび操作手段で入力された収納ボックスの番号に基づいて、前記電気錠で施錠されている収納ボックスの扉の解錠信号を出して解錠し、該解錠した収納ボックス内に貴重品を収納して施錠し、施錠された収納ボックスより収納した貴重品を取り出す場合に前記生体認証読み取り手段で生体認証データを再度読み取り、貴重品預け入れ時の生体認証データと一致した場合にだけ解錠できる信号を、前記電気錠に出すコンピュータとからなることを特徴とする貴重品保管装置。
【発明の詳細な説明】
【技術分野】
【０００１】
本発明は利用者を特定することができ、第三者が爆発物を収納したり、仕掛けたりする不正使用を防止して、利用者が安全に貴重品等を保管でき、かつ解錠時には暗証番号の記憶やＩＣカードやキーが不要で、これらの管理が不要な、ゴルフ場や銭湯、水泳プール、ホテル、スポーツジム、マンションの郵便受け等で使用される貴重品保管装置に関する。
【背景技術】
【０００２】
ゴルフ場やスポーツジムのように不特定多数の利用者が来場し、利用者が施設滞在中に貴重品を身体から離さざるを得ない状況が生じる場合では、暗証番号を入力して施錠・解錠を行なう集合型の貴重品保管装置が設置されている。
【０００３】
特にゴルフ場においては、プレーフィーが高額であり、利用者が多額の現金やクレジットカード類を持参するために、利用者の貴重品の取り扱いは重要である。
【０００４】
利用者も多額の現金やクレジットカードを入れた財布を持参する必要があるにもかかわらず、プレーする際には財布を持ち歩くとじゃまで、紛失の恐れがあるのでゴルフ場が貴重品袋を用意して利用者の貴重品を預かるか、暗証番号をキーとした集合型の貴重品保管装置をフロント近くに設置して、利用者に利用させている。
【０００５】
貴重品保管装置の鍵としては、利用者に現物の鍵を渡すと紛失に伴う盗難の危険や、鍵管理の煩雑さから、利用者に暗証番号を入力させる方法や、指紋認識センサーなどの生体認証センサーで収集した人体認証データを利用して収納ボックスの施錠・解錠を行なう装置が、下記特許文献１に開示されているように、貴重品保管装置などに応用されている。
【０００６】
しかし、従来の貴重品保管装置においては、利用者が暗証番号を入力しなければならないので、操作手順が多く、また、暗証番号を失念しないように生年月日や電話番号を設定している利用者が後を絶たないため、第三者に暗証番号を把握されている場合があり、盗難の一因となっている。
【０００７】
また、最初に暗証番号を入力する時に、キー操作を誤って、利用者が思い込んでいる暗証番号とは異なる暗証番号を入力してしまうと、貴重品を取り出す 時に利用者が思い込んでいる暗証番号を入力しても解錠できなくなる。このような状態の時、施設側で解錠することになるが、施設側が利用者が使用している収納ボックスを特定することができず、解錠した収納ボックス内の貴重品が利用者本人のものかを判断するのが非常に難しいという問題があった。
【０００８】
このように、利用者の貴重品保管装置の誤操作に基づくトラブルや、第三者が巧妙な手段により貴重品保管装置の暗証番号を把握して、貴重品を盗み取る例が後を絶たず、場合によっては、ゴルフ場の従業員が盗みに加わるような悪質な事例もあり、貴重品の管理に関する安全性や管理責任の所在について社会問題化しているのが現状である。
【０００９】
そこで、暗証番号を使用しないでＲＦＩＤタグを内蔵するＩＣカードをスコアカードホルダーなどに組み込み、このＲＦＩＤタグに格納されているＩＤデータと、生体確認センサーで収集した生体認証データとに基づいて、収納ボックスの扉の電磁錠を、施錠・解錠を行なう装置が下記特許文献２に開示されている。
【００１０】
しかしながら、この方法で収納ボックスの扉の電磁錠の解錠は、ＩＤデータおよび生体認証データと対照して行なうため、ＩＣカードを組み込んだスコアカードホルダーを、気を付けながら持ち歩かなければならないという欠点があった。
【先行技術文献】
【特許文献】
【００１１】
【特許文献１】特開２００５−１８５６２８号公報
【特許文献２】特許第４３９３４３８号公報
【発明の概要】
【発明が解決しようとする課題】
【００１２】
本発明は以上のような従来の欠点に鑑み、使用開始前の収納ボックスの扉は施錠されていて、第三者が不審物や爆発物を収納したり、仕掛けたりする不正使用を確実に防止することができるとともに、利用者は施設側で承認した承認データと生体認証で収納ボックスの使用を開始し扉を解錠できるようにし、貴重品が収納されて施錠された収納ボックスの扉を生体認証だけで解錠できるようにした、利用者を特定でき、安全に貴重品の保管ができ、かつ収納ボックスの扉を解錠するためのキーやＩＣカードを持ち歩くことなく、持ち歩いても解錠するために使用することができず、確実、簡単で安全に解錠することができる貴重品保管装置を提供することを目的としている。
【００１３】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【００１４】
上記目的を達成するために、本発明は扉の施錠・解錠をそれぞれ設置された電気錠で行なう、少なくとも１個以上の収納ボックスを備えた貴重品保管装置において、前記収納ボックスあるいは複数個の収納ボックスを備えた筐体に設置され、あるいは該収納ボックスとは異なる場所に設置された、利用者を施設側で特定することができる施設側で承認を得た施設側承認データを読み取る施設側承認データ読み取り手段と、前記収納ボックスあるいは複数個の収納ボックスを備えた筐体に設置された生体認証読み取り手段と、前記収納ボックスあるいは複数個の収納ボックスを備えた筐体に設置された前記生体認証読み取り手段で読み取った生体認証データおよび前記施設側承認データ読み取り手段で読み取った施設側承認データを処理記憶するとともに、前記生体認証データおよび施設側承認データに基づいて、前記電気錠で施錠されている収納ボックスの扉の解錠信号を出して解錠し、該解錠した収納ボックス内に貴重品を収納して施錠し、施錠された収納ボックスより収納した貴重品を取り出す場合に前記生体認証読み取り手段で生体認証データを再度読み取り、貴重品預け入れ時の生体認証データと一致し場合にだけ解錠できる信号を前記電気錠に出すコンピュータとで貴重品保管装置を構成している。
【００１５】
また、本発明は扉の施錠・解錠をそれぞれ設置された電気錠で行なう、複数個の収納ボックスを筐体に備えた貴重品保管装置において、前記筐体に設置され、あるいは該筐体とは異なる場所に設置された、利用者を施設側で特定することができる施設側で承認を得た施設側承認データを読み取る施設側承認データ読み取り手段と、前記複数個の収納ボックスに設けた、空いているか、使用しているかを表示する表示装置と、前記筐体に設置された、利用者が空いている収納ボックスの番号を入力することができる操作手段と、前記筐体に設置された生体認証読み取り手段と、前記筐体に設置された前記生体認証読み取り手段で読み取った生体認証データ、前記施設側データ読み取り手段で読み取った施設側承認データおよび、前記操作手段で入力された収納ボックスの番号を処理記憶するとともに、使用開始時には前記生体認証データ、施設側承認データおよび操作手段で入力された収納ボックスの番号に基づいて、前記電気錠で施錠されている収納ボックスの扉の解錠信号を出して解錠し、該解錠した収納ボックス内に貴重品を収納して施錠し、施錠された収納ボックスより収納した貴重品を取り出す場合に前記生体認証読み取り手段で生体認証データを再度読み取り、貴重品預け入れ時の生体認証データと一致した場合にだけ解錠できる信号を、前記電気錠に出すコンピュータとで貴重品保管装置を構成している。
【発明の効果】
【００１６】
以上の説明から明らかなように、本発明にあっては次に列挙する効果が得られる。
（１）請求項１により、収納ボックスの扉の施錠・解錠を電気錠で行ない、施設側承認データと利用者の生体認証データとで収納ボックスの扉を解錠するので、第三者が不審物や爆発物を収納ボックス内へ収納したり、仕掛けたりする不正使用を確実に防止することができる。
（２）前記（１）により、貴重品を収納する収納ボックスの扉を施錠・解錠する電気錠を、施設側で承認を得た施設側承認データを施設側承認データ読み取り手段で読み取った施設側承認データと利用者の生体認証データで特定、解錠することができる。
したがって、安心して使用できるとともに、施設側は施設側承認データで利用者がどの収納ボックスを使用しているかを知ることができ、利用者が急病等で解錠ができなかっても、施設側が解錠して利用者に利用者が収納した貴重品を間違いなく返却することができる。
（３）前記（１）により、貴重品を収納した収納ボックスを解錠して、収納した貴重品を取り出す場合、生体認証読み取り手段で、利用者の生体認証を読み取らせた生体認証データと貴重品預け入れ時の生体認証データとが一致すると、預け入れした収納ボックスから貴重品を取り出すことができる。  
すなわち、収納ボックスの扉を電気錠で施錠後は、利用者の生体認証データだけで解錠できるので、従来のようにＩＣカードやキーの所持が不要で、安全で楽に使用することができる。
また、貴重品を保管した時の施設側の承認データを持ち歩いても、収納ボックスの解錠には使用することができないので、盗難や紛失に気を付けた持ち歩きをしなくても、安全で、気楽に使用することができる。
（４）請求項２、３も前記（１）〜（３）と同様な効果が得られるとともに、施設側承認データとして、あらかじめ施設側で承認を得たカード、暗証番号、バーコード、磁気カード、コイン、鍵、トランスポンダキー、セキュリティトークン、非接触ＩＣカード、接触ＩＣカード、使用者の情報が入力された運転免許証や公共機関で使用されているＩＣカード、生体認証、携帯電話、携帯端末、ウエブサイト、アプリ等のいずれか、あるいは施設側から貸与された施設側承認データとして、カード、暗証番号、バーコード、磁気カード、コイン、鍵、トランスポンダキー、セキュリティトークン、非接触ＩＣカード、接触ＩＣカード、携帯電話、携帯端末等のいずれかが使用でき、容易に施設側に都合のよいものを選択使用することができる。
（５）請求項４も前記（１）〜（３）と同様な効果が得られる。
（６）請求項５も前記（１）、（３）と同様な効果が得られるとともに、利用者が使用したい空の収納ボックスを選択的に使用することができる。
【００１７】
また、利用者が操作手段の操作で利用する収納ボックスを選択すると、施設側承認データまたは筐体内コンピュータ記憶媒体にそのデータが入力されるようにするが、操作手段の操作データを施設側で知ることができるようにすることにより、前記（２）の効果も得られる。
【図面の簡単な説明】
【００１８】
【図１】本発明を実施するための第１の形態の斜視図。
【図２】本発明を実施するための第１の形態の施設側の承認データの読み取り状態の説明図。
【図３】本発明を実施するための第１の形態の生体認証データの読み取り状態の説明図。
【図４】本発明を実施するための第１の形態のブロック図。
【図５】本発明を実施するための第１の形態の貴重品を収納する時の説明図。
【図６】本発明を実施するための第１の形態の貴重品を取り出す時の説明図。
【図７】本発明を実施するための第１の形態の貴重品を収納する時の動作手順を示すフローチャートである。
【図８】本発明を実施するための第１の形態の貴重品を取り出す時の動作手順を示すフローチャートである。
【図９】本発明を実施するための第２の形態の斜視図。
【図１０】本発明を実施するための第２の形態の施設側の承認データの読み取り状態の説明図。
【図１１】本発明を実施するための第２の形態の生体認証データの読み取り状態の説明図。
【図１２】本発明を実施するための第２の形態のブロック図。
【図１３】本発明を実施するための第３の形態の斜視図。
【図１４】本発明を実施するための第３の形態の使用開始態の説明図。
【図１５】本発明を実施するための第３の形態のブロック図。
【図１６】本発明を実施するための第４の形態の説明図。
【図１７】本発明を実施するための第４の形態の使用開始態の説明図。
【図１８】本発明を実施するための第４の形態のブロック図。
【発明を実施するための形態】
【００１９】
以下、図面に示す本発明を実施するための形態により、本発明を詳細に説明する。
【００２０】
図１ないし図８に示す本発明を実施するための第１の形態において、１はゴルフ場、銭湯、水泳プール、スポーツジム、ホテル、マンションの郵便受け等の貴重品を身体より離れたところで保管したり、貴重品を保管、収納する場合に使用される本発明の貴重品保管装置で、この貴重品保管装置１は収納ボックス４の扉２の施錠・解錠を電気錠で行なう、複数個の収納ボックス４を備えた筐体５と、この筐体５に設置された、利用者を施設側で特定することができる施設側で承認を得た施設側承認データ６を読み取る施設側承認データ読み取り手段７と、前記筐体５に設置された生体認証読み取り手段８と、前記筐体５の下部位置に設けられた前記生体認証読み取り手段で読み取った生体承認データおよび前記施設側承認データ読み取り手段７で読み取った施設側承認データ６を処理記憶するとともに、前記生体認証データおよび施設側承認データに基づいて、前記電気錠３で施錠されている収納ボックス４の扉２の解錠信号を出して解錠し、該解錠した収納ボックス４内に貴重品を収納して施錠し、あるいは一定時間後に自動的に施錠し、施錠した収納ボックス４より収納した貴重品を取り出す場合に 、前記生体認証読み取り手段８で生体認証を再度読み取り、貴重品預け入れ時の生体認証データと一致した場合にだけ解錠できる信号を、前記電気錠３に出すコンピュータ９とで構成されている。
【００２１】
なお、前記施設側承認データ読み取り手段７や生体認証読み取り手段８は、利用者が操作しやすい筐体５の中央上部寄りの部位に配置するとよい。
【００２２】
また、前記電気錠３は前記コンピュータ９からの電気信号で解錠・施錠できるものであれば、どんな構造のものであってもよく、当然に電磁錠も含まれるものであり、信号を受けて機械的に動作をするものでもよい。
【００２３】
前記施設側で承認を得た施設側承認データ６は前記施設側承認データ読み取り手段７で読み取ることができ、ＩＣ、磁気、バーコード等の記憶媒体を用いた会員証、カード、暗証番号、鍵、トランスポンダキー、セキュリティトークン、生体認証、携帯電話、携帯端末、ウエブサイト、アプリ等のいずれかと、施設側から貸与された施設側承認データ読み取り手段７で読み取ることができるＩＣ、磁気、バーコード、カード、暗証番号、鍵、トランスポンダキー、セキュリティトークン、携帯電話、携帯端末等のいずれかが使用されている。
【００２４】
なお、施設側承認データ６として生体認証を用いる場合には、施設側のフロント等で事前登録しておくことにより可能となる。この場合、生体認証読み取り手段８またはフロント等、筐体５とは異なる場所に設置された生体認証読み取り手段で読み取った生体認証データが施設側承認データにもなる。
【００２５】
また、あらかじめ施設側の承認を得た施設側承認データ６は携帯電話、携帯端末、ウエブサイト、アプリ等を使用する場合には、会員サイト等にて事前に施設側の承認データを受けておいたものや、あらかじめ、施設側承認データ６をバーコード、暗証番号、携帯電話ＦＥＬＩＣＡ（登録商標）等で携帯電話、携帯端末等に組み込んだものを貸与し、該携帯電話、携帯端末を用いて、筐体５側にて施設側の承認を行なう。
【００２６】
この施設側承認データ６は直接利用者を特定することができるデータが入力されたカードを用いたり、施設側にある利用者を特定するデータとリンクした記号等が記載されたカードであってもよい。
【００２７】
また、施設側の承認は、その施設の都合により一度や一日の使用に限られるものと、複数回使用できるものとにすることができる。
【００２８】
前記施設側承認データ読み取り手段７は、前記施設側承認データ６に応じてカード読み取り装置、バーコード読み取り装置、暗証番号読み取り装置、磁気カード読み取り装置、セキュリティトークン読み取り装置、鍵シリンダー、トランスボンダキー読み取り装置、非接触ＩＣカード読み取りリーダ、接触ＩＣカード読み取りリーダ、生体認証リーダ、携帯電話認証リーダ、スマホカメラの手のひらの認証を用いた携帯電話認証リーダのいずれかで、いずれも既存のものが使用される。
【００２９】
前記生体認証読み取り手段８は指紋リーダ、掌紋リーダ、光彩模様リーダ、顔の輪郭リーダ、声紋リーダ、静脈リーダ等のいずれか、あるいはこれらを２個以上任意に組み合わせたものが使用されている。
【００３０】
なお、生体認証読み取り手段８で使用される指紋リーダ、掌紋リーダ、光彩模様リーダ、顔の輪郭リーダ、声紋リーダ、静脈リーダはいずれも既存のものが使用される。
【００３１】
上記構成の貴重品保管装置１は、あらかじめ施設側に承認を得た施設側承認データ６を持っている場合には、直接貴重品保管装置１の設置場所へ行く。  また、施設側承認データ６を持っていない場合で、貴重品保管装置１を使用する場合にはフロントにおいてチエックインする時、またはウエブサイト等にて、貴重品保管装置１を利用するための施設側承認データ６の貸与を受け、貴重品保管装置１の設置場所へ行く。  
【００３２】
この時、フロントであらかじめ使用する収納ボックス４の番号を自動的に設定したり、あるいは空いている収納ボックス４を利用者に選択させて設定し、該施設側承認データ６または筐体５のコンピュータ９の記憶媒体に記入あるいは入力保存しておく。なお、入力方法は手動、オンライン、無線等による。
【００３３】
貴重品を預け入れる場合、施設側承認データ６を筐体５の施設側承認データ読み取り手段７で読み取り、コンピュータ９で処理記憶させるとともに、生体認証読み取り手段８に生体認証部分を位置させて生体認証データを読み取らせ、コンピュータ９で処理させることにより、あらかじめ設定された、もしくはコンピュータにより任意に選択された収納ボックス４の扉２を施錠している電気錠３に解錠信号を出して解錠する。
【００３４】
この解錠状態の収納ボックス４内へ貴重品や、該貴重品を収納している時には不必要となる施設側承認データ６等の物品を収納し、扉２を閉じることにより電気錠３が施錠状態となる。
【００３５】
また、収納ボックス４内に貴重品を収納した状態でも、利用者が該収納ボックス４の近傍にいる間の時間を一定時間に設定されていると、自動的に収納ボックス４の扉２を閉じて、電気錠３が施錠状態とすることもできる。
【００３６】
次に、収納ボックス４内に収納した貴重品を取り出す場合、筐体５より生体認証読み取り手段８に生体認証部分を位置させることにより、読み取った生体認証データがコンピュータ９の貴重品預け入れ時の生体認証データと一致すると、その利用者の収納ボックス４の扉２を施錠している電気錠３を解錠する信号を出して解錠し、該収納ボックス４より貴重品を取り出すことができる。
【００３７】
なお、収納ボックス４の扉２を解錠した後、一定時間が経つと扉２が自動的に閉じられ、電気錠３が施錠状態にすることもできる。
【００３８】
よりセキュリティを高めるため、扉２が解錠されて比較的短い一定時間が経つと、自動的に扉２を自動開閉する扉の自動開閉機構（図示せず）で自動的に閉じて電気錠３で施錠できるものを使用することにより、第三者によって収納ボックス４内に不審物や爆発物を収納されたり、仕掛けたりするのを効率よく防止することができるが、あまり短いと収納ボックス４内からの貴重品の取り出しのための時間が短くなるので、使用に不都合が生じない一定時間を設定しなければならない。
【００３９】
また、非接触ＩＣカードとしての、ＲＦＩＤカードはコスト高となるため、ななるべく使用しない方がよい。    
【００４０】
[発明を実施するための異なる形態]
次に、図９ないし図１８に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００４１】
図９ないし図１２に示す本発明を実施するための第２の形態において、前記本発明を実施するための第１の形態と主に異なる点は、複数個の収納ボックス４に使用中か空であるかを表示する表示装置としてのオン・オフランプ１０をそれぞれ設けるとともに、収納ボックス番号を入力することができる操作手段１１を筐体５に設け、この操作手段１１からのデータと施設側承認データ６、生体認証データをコンピュータ９Ａで処理記憶できるようにした点で、このような貴重品保管装置１Ａにすることにより、利用者が利用する収納ボックス４Ａを現場で選択して利用することができる。
【００４２】
この場合、前記施設側で承認を得た施設側承認データ６としては前記施設側承認データ読み取り手段７出読み取ることができる、利用者を施設側で特定することができる会員証、カード、バーコード、磁気カード、鍵、トランスポンダキー、セキュリティトークン、非接触ＩＣカード、接触ＩＣカード、生体認証、携帯電話、携帯端末、ウエブサイト、アプリ、使用者の情報が入力された運転免許証、公共機関で使用されるカード等のいずれかと、施設側から貸与された施設側承認データ読み取り手段７で読み取ることができる会員証、カード、暗証番号、バーコード、磁気カード、セキュリティトークン、非接触ＩＣカード、接触ＩＣカード、携帯電話、携帯端末等のいずれかが使用されている。
【００４３】
なお、表示装置としてオン・オフランプ１０を使用するものについて説明したが、ボックス番号を表示するものであってもよい。
【００４４】
また、操作手段１１からのデータを施設側承認データ６に入力したり、施設側または筐体内コンピュータ記憶媒体にそのデータを記憶できるようにしておくと、利用者が急病等になっても、施設側で急病等になった利用者の収納ボックスを解錠して、貴重品を間違いなくスムーズに返却することができる。
【００４５】
図１３ないし図１５に示す本発明を実施するための第３の形態において、前記本発明を実施するための第１の形態と主に異なる点は、ホテルの客室に設置されている扉２の施錠・解錠をそれぞれ設定された電気錠３で行なう収納ボックス４Ｂに施設側承認データ読み取り手段７、生体認証読み取り手段８、コンピュータ９Ｂを設置した設置した点で、このように構成した貴重品保管装置１Ｂにしても、前記本発明を実施するための第１の形態と同様な作用効果が得られる。
【００４６】
なお、施設側承認データ読み取り手段７、生体認証読み取り手段８は収納ボックス４Ｂのボックス側に設置してもよい。
【００４７】
図１６ないし図１８に示す本発明を実施するための第４の形態において、前記本発明を実施するための第１の形態と主に異なる点は、施設側承認データ６として生体認証を用いた点で、このように生体認証を施設側承認データ６とした貴重品保管装置１Ｃにしても、前記本発明を実施するための第１の形態と同様な作用効果が得られる。
【００４８】
なお、生体認証を施設側承認データ６とするためには、フロント等に生体認証読み取り手段１２を備えた端末１３を設置し、該端末１３の生体認証読み取り手段１２に利用者の生体認証部分を位置させ、生体認証を読み取り、有線あるいは無線で筐体５のコンピュータ９に入力できるようにしている。
【００４９】
このため、利用者はフロント等での生体認証を行なった後、筐体５に設けられた生体認証読み取り手段８に生体認証部分を位置させて、生体認証データを読み取らせ、前記施設側承認データ６と一致すると収納ボックス４の扉２を電気錠３で解錠できる。
【００５０】
なお、この実施の形態で使用する収納ボックス４の番号は、端末１３で施設側承認データ６と一緒にコンピュータ９に入力させたり、操作手段１１を用いて利用者に選択させたり、あるいはコンピュータ９が自動的に割り当てるようにしてもよい。
【００５１】
また、携帯電話、携帯端末、ウエブサイト、アプリを用いて施設側承認データ６を得た場合には、使用時に施設側承認データ６を組み込んだ携帯電話、携帯端末を施設側承認データ読み取り手段７で、施設側承認データ６を読み取らせるとともに、生体認証読み取り手段８で生体認証データを読み取らせることで、あらかじめ施設側で承認した施設側承認データと一致した場合にだけ施錠状態の収納ボックス４の扉２を電気錠３で解錠でき、施錠後、解錠するには使用時の生体認証データと一致する生体認証データでないと解錠できないようになっている。
【産業上の利用可能性】
【００５２】
本発明はゴルフ場、銭湯、水泳プール、ホテル、スポーツジム、マンションの郵便受け等で使用される貴重品等を収納保管する貴重品保管装置を製造する産業で利用される。
【符号の説明】
【００５３】
１、１Ａ、１Ｂ、１Ｃ：貴重品保管装置、
２：扉          ３：電気錠、
４、４Ａ、４Ｂ：収納ボックス、  ５：筐体、  
６：施設側承認データ、
７：施設側承認データ読み取り手段、
８：生体認証読み取り手段、  ９、９Ａ、９Ｂ：コンピュータ、
１０：オン・オフランプ、    １１：操作手段、
１２：生体認証読み取り手段、  １３：端末。
【図１】
2015132109.tif 000003
【図２】
2015132109.tif 000004
【図３】
2015132109.tif 000005
【図４】
2015132109.tif 000006
【図５】
2015132109.tif 000007
【図６】
2015132109.tif 000008
【図７】
2015132109.tif 000009
【図８】
2015132109.tif 000010
【図９】
2015132109.tif 000011
【図１０】
2015132109.tif 000012
【図１１】
2015132109.tif 000013
【図１２】
2015132109.tif 000014
【図１３】
2015132109.tif 000015
【図１４】
2015132109.tif 000016
【図１５】
2015132109.tif 000017
【図１６】
2015132109.tif 000018
【図１７】
2015132109.tif 000019
【図１８】
2015132109.tif 000020
【手続補正書】
【提出日】平成26年3月18日(2014.3.18)
【手続補正１】
【補正対象書類名】特許請求の範囲
【補正対象項目名】全文
【補正方法】変更
【補正の内容】
【特許請求の範囲】
【請求項１】
扉の施錠・解錠をそれぞれ設置された電気錠で行なう、少なくとも１個以上の収納ボックスを備えた貴重品保管装置において、前記収納ボックスあるいは複数個の収納ボックスを備えた筐体に設置され、あるいは該収納ボックスとは異なる場所に設置された、利用者を施設側で特定することができる施設側で事前登録された利用者の生体認証を用いた施設側承認データを読み取る施設側承認データ読み取り手段と、前記収納ボックスあるいは複数個の収納ボックスを備えた筐体に設置された生体認証読み取り手段と、前記収納ボックスあるいは複数個の収納ボックスを備えた筐体に設置された前記生体認証読み取り手段で読み取った生体認証データおよび前記施設側承認データ読み取り手段で読み取った施設側承認データを処理記憶するとともに、前記生体認証データおよび施設側承認データに基づいて、前記電気錠で施錠されている収納ボックスの扉の解錠信号を出して解錠し、該解錠した収納ボックス内に貴重品を収納して施錠し、施錠された収納ボックスより収納した貴重品を取り出す場合に前記生体認証読み取り手段で生体認証データを再度読み取り、貴重品預け入れ時の生体認証データと一致し場合にだけ解錠できる信号を前記電気錠に出すコンピュータとからなることを特徴とする貴重品保管装置。
【請求項２】
施設側データ読み取り手段は生体認証リーダであることを特徴とする請求項１記載の貴重品保管装置。
【請求項３】
生体認証読み取り装置は指紋リーダ、掌紋リーダ、光彩模様リーダ、顔の輪郭リーダ、声紋リーダ、静脈リーダのいずれか、あるいはこれらを任意に２個以上組み合わせたものであることを特徴とする請求項１記載の貴重品保管装置。
【請求項４】
扉の施錠・解錠をそれぞれ設置された電気錠で行なう、複数個の収納ボックスを筐体に備えた貴重品保管装置において、前記筐体に設置され、あるいは該筐体とは異なる場所に設置された、利用者を施設側で特定することができる施設側で事前登録された利用者の生体認証を用いた施設側承認データを読み取る施設側承認データ読み取り手段と、前記複数個の収納ボックスに設けた、空いているか、使用しているかを表示する表示装置と、前記筐体に設置された、利用者が空いている収納ボックスの番号を入力することができる操作手段と、前記筐体に設置された生体認証読み取り手段と、前記筐体に設置された前記生体認証読み取り手段で読み取った生体認証データ、前記施設側データ読み取り手段で読み取った施設側承認データおよび、前記操作手段で入力された収納ボックスの番号を処理記憶するとともに、使用開始時には前記生体認証データ、施設側承認データおよび操作手段で入力された収納ボックスの番号に基づいて、前記電気錠で施錠されている収納ボックスの扉の解錠信号を出して解錠し、該解錠した収納ボックス内に貴重品を収納して施錠し、施錠された収納ボックスより収納した貴重品を取り出す場合に前記生体認証読み取り手段で生体認証データを再度読み取り、貴重品預け入れ時の生体認証データと一致した場合にだけ解錠できる信号を、前記電気錠に出すコンピュータとからなることを特徴とする貴重品保管装置。
【手続補正２】
【補正対象書類名】明細書
【補正対象項目名】全文
【補正方法】変更
【補正の内容】
【発明の詳細な説明】
【技術分野】
【０００１】
本発明は利用者を特定することができ、第三者が爆発物を収納したり、仕掛けたりする不正使用を防止して、利用者が安全に貴重品等を保管でき、かつ解錠時には暗証番号の記憶やＩＣカードやキーが不要で、これらの管理が不要な、ゴルフ場や銭湯、水泳プール、ホテル、スポーツジム、マンションの郵便受け等で使用される貴重品保管装置に関する。
【背景技術】
【０００２】
ゴルフ場やスポーツジムのように不特定多数の利用者が来場し、利用者が施設滞在中に貴重品を身体から離さざるを得ない状況が生じる場合では、暗証番号を入力して施錠・解錠を行なう集合型の貴重品保管装置が設置されている。
【０００３】
特にゴルフ場においては、プレーフィーが高額であり、利用者が多額の現金やクレジットカード類を持参するために、利用者の貴重品の取り扱いは重要である。
【０００４】
利用者も多額の現金やクレジットカードを入れた財布を持参する必要があるにもかかわらず、プレーする際には財布を持ち歩くとじゃまで、紛失の恐れがあるのでゴルフ場が貴重品袋を用意して利用者の貴重品を預かるか、暗証番号をキーとした集合型の貴重品保管装置をフロント近くに設置して、利用者に利用させている。
【０００５】
貴重品保管装置の鍵としては、利用者に現物の鍵を渡すと紛失に伴う盗難の危険や、鍵管理の煩雑さから、利用者に暗証番号を入力させる方法や、指紋認識センサーなどの生体認証センサーで収集した人体認証データを利用して収納ボックスの施錠・解錠を行なう装置が、下記特許文献１に開示されているように、貴重品保管装置などに応用されている。
【０００６】
しかし、従来の貴重品保管装置においては、利用者が暗証番号を入力しなければならないので、操作手順が多く、また、暗証番号を失念しないように生年月日や電話番号を設定している利用者が後を絶たないため、第三者に暗証番号を把握されている場合があり、盗難の一因となっている。
【０００７】
また、最初に暗証番号を入力する時に、キー操作を誤って、利用者が思い込んでいる暗証番号とは異なる暗証番号を入力してしまうと、貴重品を取り出す 時に利用者が思い込んでいる暗証番号を入力しても解錠できなくなる。このような状態の時、施設側で解錠することになるが、施設側が利用者が使用している収納ボックスを特定することができず、解錠した収納ボックス内の貴重品が利用者本人のものかを判断するのが非常に難しいという問題があった。
【０００８】
このように、利用者の貴重品保管装置の誤操作に基づくトラブルや、第三者が巧妙な手段により貴重品保管装置の暗証番号を把握して、貴重品を盗み取る例が後を絶たず、場合によっては、ゴルフ場の従業員が盗みに加わるような悪質な事例もあり、貴重品の管理に関する安全性や管理責任の所在について社会問題化しているのが現状である。
【０００９】
そこで、暗証番号を使用しないでＲＦＩＤタグを内蔵するＩＣカードをスコアカードホルダーなどに組み込み、このＲＦＩＤタグに格納されているＩＤデータと、生体確認センサーで収集した生体認証データとに基づいて、収納ボックスの扉の電磁錠を、施錠・解錠を行なう装置が下記特許文献２に開示されている。
【００１０】
しかしながら、この方法で収納ボックスの扉の電磁錠の解錠は、ＩＤデータおよび生体認証データと対照して行なうため、ＩＣカードを組み込んだスコアカードホルダーを、気を付けながら持ち歩かなければならないという欠点があった。
【先行技術文献】
【特許文献】
【００１１】
【特許文献１】特開２００５−１８５６２８号公報
【特許文献２】特許第４３９３４３８号公報
【発明の概要】
【発明が解決しようとする課題】
【００１２】
本発明は以上のような従来の欠点に鑑み、使用開始前の収納ボックスの扉は施錠されていて、第三者が不審物や爆発物を収納したり、仕掛けたりする不正使用を確実に防止することができるとともに、利用者は施設側で承認した承認データと生体認証で収納ボックスの使用を開始し扉を解錠できるようにし、貴重品が収納されて施錠された収納ボックスの扉を生体認証だけで解錠できるようにした、利用者を特定でき、安全に貴重品の保管ができ、かつ収納ボックスの扉を解錠するためのキーやＩＣカードを持ち歩くことなく、持ち歩いても解錠するために使用することができず、確実、簡単で安全に解錠することができる貴重品保管装置を提供することを目的としている。
【００１３】
本発明の前記ならびにそのほかの目的と新規な特徴は次の説明を添付図面と照らし合わせて読むと、より完全に明らかになるであろう。
【００１４】
ただし、図面はもっぱら解説のためのものであって、本発明の技術的範囲を限定するものではない。
【課題を解決するための手段】
【００１５】
上記目的を達成するために、本発明は扉の施錠・解錠をそれぞれ設置された電気錠で行なう、少なくとも１個以上の収納ボックスを備えた貴重品保管装置において、前記収納ボックスあるいは複数個の収納ボックスを備えた筐体に設置され、あるいは該収納ボックスとは異なる場所に設置された、利用者を施設側で特定することができる施設側で事前登録された利用者の生体認証を用いた施設側承認データを読み取る施設側承認データ読み取り手段と、前記収納ボックスあるいは複数個の収納ボックスを備えた筐体に設置された生体認証読み取り手段と、前記収納ボックスあるいは複数個の収納ボックスを備えた筐体に設置された前記生体認証読み取り手段で読み取った生体認証データおよび前記施設側承認データ読み取り手段で読み取った施設側承認データを処理記憶するとともに、前記生体認証データおよび施設側承認データに基づいて、前記電気錠で施錠されている収納ボックスの扉の解錠信号を出して解錠し、該解錠した収納ボックス内に貴重品を収納して施錠し、施錠された収納ボックスより収納した貴重品を取り出す場合に前記生体認証読み取り手段で生体認証データを再度読み取り、貴重品預け入れ時の生体認証データと一致し場合にだけ解錠できる信号を前記電気錠に出すコンピュータとで貴重品保管装置を構成している。
また、本発明は扉の施錠・解錠をそれぞれ設置された電気錠で行なう、複数個の収納ボックスを筐体に備えた貴重品保管装置において、前記筐体に設置され、あるいは該筐体とは異なる場所に設置された、利用者を施設側で特定することができる施設側で事前登録された利用者の生体認証を用いた施設側承認データを読み取る施設側承認データ読み取り手段と、前記複数個の収納ボックスに設けた、空いているか、使用しているかを表示する表示装置と、前記筐体に設置された、利用者が空いている収納ボックスの番号を入力することができる操作手段と、前記筐体に設置された生体認証読み取り手段と、前記筐体に設置された前記生体認証読み取り手段で読み取った生体認証データ、前記施設側データ読み取り手段で読み取った施設側承認データおよび、前記操作手段で入力された収納ボックスの番号を処理記憶するとともに、使用開始時には前記生体認証データ、施設側承認データおよび操作手段で入力された収納ボックスの番号に基づいて、前記電気錠で施錠されている収納ボックスの扉の解錠信号を出して解錠し、該解錠した収納ボックス内に貴重品を収納して施錠し、施錠された収納ボックスより収納した貴重品を取り出す場合に前記生体認証読み取り手段で生体認証データを再度読み取り、貴重品預け入れ時の生体認証データと一致した場合にだけ解錠できる信号を、前記電気錠に出すコンピュータとで貴重品保管装置を構成している。
【発明の効果】
【００１６】
以上の説明から明らかなように、本発明にあっては次に列挙する効果が得られる。
（１）請求項１により、収納ボックスの扉の施錠・解錠を電気錠で行ない、利用者を施設側で特定することができる施設側で事前登録された利用者の生体認証を用いた施設側承認データと利用者の生体認証データとで収納ボックスの扉を解錠するので、第三者が不審物や爆発物を収納ボックス内へ収納したり、仕掛けたりする不正使用を確実に防止することができる。
（２）前記（１）により、貴重品を収納する収納ボックスの扉を施錠・解錠する電気錠を、利用者を施設側で特定することができる施設側で事前登録された利用者の生体認証を用いた施設側承認データを施設側承認データ読み取り手段で読み取った施設側承認データと利用者の生体認証データで特定、解錠することができる。
したがって、安心して使用できるとともに、施設側は施設側承認データで利用者がどの収納ボックスを使用しているかを知ることができ、利用者が急病等で解錠ができなかっても、施設側が解錠して利用者に利用者が収納した貴重品を間違いなく返却することができる。
（３）前記（１）により、貴重品を収納した収納ボックスを解錠して、収納した貴重品を取り出す場合、生体認証読み取り手段で、利用者の生体認証を読み取らせた生体認証データと貴重品預け入れ時の生体認証データとが一致すると、預け入れした収納ボックスから貴重品を取り出すことができる。  
すなわち、収納ボックスの扉を電気錠で施錠後は、利用者の生体認証データだけで解錠できるので、従来のようにＩＣカードやキーの所持が不要で、安全で楽に使用することができる。
また、貴重品を保管した時の施設側の承認データを持ち歩いても、収納ボックスの解錠には使用することができないので、盗難や紛失に気を付けた持ち歩きをしなくても、安全で、気楽に使用することができる。
（４）請求項２も前記（１）〜（３）と同様な効果が得られるとともに、施設側承認データとして、あらかじめ施設側で承認を得た生体認証が使用できる。
（５）請求項３も前記（１）〜（３）と同様な効果が得られる。
（６）請求項４も前記（１）、（３）と同様な効果が得られるとともに、利用者が使用したい空の収納ボックスを選択的に使用することができる。
また、利用者が操作手段の操作で利用する収納ボックスを選択すると、施設側承認データまたは筐体内コンピュータ記憶媒体にそのデータが入力されるようにするが、操作手段の操作データを施設側で知ることができるようにすることにより、前記（２）の効果も得られる。
【図面の簡単な説明】
【００１７】
【図１】本発明を実施するための第１の形態の斜視図。
【図２】本発明を実施するための第１の形態の施設側の承認データの読み取り状態の説明図。
【図３】本発明を実施するための第１の形態の生体認証データの読み取り状態の説明図。
【図４】本発明を実施するための第１の形態のブロック図。
【図５】本発明を実施するための第１の形態の貴重品を収納する時の説明図。
【図６】本発明を実施するための第１の形態の貴重品を取り出す時の説明図。
【図７】本発明を実施するための第１の形態の貴重品を収納する時の動作手順を示すフローチャートである。
【図８】本発明を実施するための第１の形態の貴重品を取り出す時の動作手順を示すフローチャートである。
【図９】本発明を実施するための第２の形態の斜視図。
【図１０】本発明を実施するための第２の形態の施設側の承認データの読み取り状態の説明図。
【図１１】本発明を実施するための第２の形態の生体認証データの読み取り状態の説明図。
【図１２】本発明を実施するための第２の形態のブロック図。
【図１３】本発明を実施するための第３の形態の斜視図。
【図１４】本発明を実施するための第３の形態の使用開始態の説明図。
【図１５】本発明を実施するための第３の形態のブロック図。
【図１６】本発明を実施するための第４の形態の説明図。
【図１７】本発明を実施するための第４の形態の使用開始態の説明図。
【図１８】本発明を実施するための第４の形態のブロック図。
【発明を実施するための形態】
【００１８】
以下、図面に示す本発明を実施するための形態により、本発明を詳細に説明する。
【００１９】
図１ないし図８に示す本発明を実施するための第１の形態において、１はゴルフ場、銭湯、水泳プール、スポーツジム、ホテル、マンションの郵便受け等の貴重品を身体より離れたところで保管したり、貴重品を保管、収納する場合に使用される本発明の貴重品保管装置で、この貴重品保管装置１は収納ボックス４の扉２の施錠・解錠を電気錠で行なう、複数個の収納ボックス４を備えた筐体５と、この筐体５に設置された、利用者を施設側で特定することができる施設側で承認を得た施設側承認データ６を読み取る施設側承認データ読み取り手段７と、前記筐体５に設置された生体認証読み取り手段８と、前記筐体５の下部位置に設けられた前記生体認証読み取り手段で読み取った生体承認データおよび前記施設側承認データ読み取り手段７で読み取った施設側承認データ６を処理記憶するとともに、前記生体認証データおよび施設側承認データに基づいて、前記電気錠３で施錠されている収納ボックス４の扉２の解錠信号を出して解錠し、該解錠した収納ボックス４内に貴重品を収納して施錠し、あるいは一定時間後に自動的に施錠し、施錠した収納ボックス４より収納した貴重品を取り出す場合に 、前記生体認証読み取り手段８で生体認証を再度読み取り、貴重品預け入れ時の生体認証データと一致した場合にだけ解錠できる信号を、前記電気錠３に出すコンピュータ９とで構成されている。
【００２０】
なお、前記施設側承認データ読み取り手段７や生体認証読み取り手段８は、利用者が操作しやすい筐体５の中央上部寄りの部位に配置するとよい。
【００２１】
また、前記電気錠３は前記コンピュータ９からの電気信号で解錠・施錠できるものであれば、どんな構造のものであってもよく、当然に電磁錠も含まれるものであり、信号を受けて機械的に動作をするものでもよい。
【００２２】
前記施設側で承認を得た施設側承認データ６は前記施設側承認データ読み取り手段７で読み取ることができる生体認証が使用されている。
なお、施設側承認データ６として生体認証を用いる場合には、施設側のフロント等で事前登録しておくことにより可能となる。この場合、生体認証読み取り手段８またはフロント等、筐体５とは異なる場所に設置された生体認証読み取り手段で読み取った生体認証データが施設側承認データにもなる。
また、施設側の承認は、その施設の都合により一度や一日の使用に限られるものと、複数回使用できるものとにすることができる。
前記施設側承認データ読み取り手段７は、前記施設側承認データ６を読み取れる生体認証リーダが使用される。
前記生体認証読み取り手段８は指紋リーダ、掌紋リーダ、光彩模様リーダ、顔の輪郭リーダ、声紋リーダ、静脈リーダ等のいずれか、あるいはこれらを２個以上任意に組み合わせたものが使用されている。
なお、生体認証読み取り手段８で使用される指紋リーダ、掌紋リーダ、光彩模様リーダ、顔の輪郭リーダ、声紋リーダ、静脈リーダはいずれも既存のものが使用される。
【００２３】
上記構成の貴重品保管装置１は、あらかじめ施設側に承認を得た施設側承認データ６を持っている場合には、直接貴重品保管装置１の設置場所へ行く。  また、施設側承認データ６を持っていない場合で、貴重品保管装置１を使用する場合にはフロントにおいてチエックインする時、利用者の生体認証を施設側承認データ６として登録して、貴重品保管装置１の設置場所へ行く。  
【００２４】
この時、フロントであらかじめ使用する収納ボックス４の番号を自動的に設定したり、あるいは空いている収納ボックス４を利用者に選択させて設定し、該施設側承認データ６または筐体５のコンピュータ９の記憶媒体に記入あるいは入力保存しておく。なお、入力方法は手動、オンライン、無線等による。
【００２５】
貴重品を預け入れる場合、施設側承認データ６を筐体５の施設側承認データ読み取り手段７で読み取り、コンピュータ９で処理記憶させるとともに、生体認証読み取り手段８に生体認証部分を位置させて生体認証データを読み取らせ、コンピュータ９で処理させることにより、あらかじめ設定された、もしくはコンピュータにより任意に選択された収納ボックス４の扉２を施錠している電気錠３に解錠信号を出して解錠する。
【００２６】
この解錠状態の収納ボックス４内へ貴重品を収納し、扉２を閉じることにより電気錠３が施錠状態となる。
【００２７】
また、収納ボックス４内に貴重品を収納した状態でも、利用者が該収納ボックス４の近傍にいる間の時間を一定時間に設定されていると、自動的に収納ボックス４の扉２を閉じて、電気錠３が施錠状態とすることもできる。
【００２８】
次に、収納ボックス４内に収納した貴重品を取り出す場合、筐体５より生体認証読み取り手段８に生体認証部分を位置させることにより、読み取った生体認証データがコンピュータ９の貴重品預け入れ時の生体認証データと一致すると、その利用者の収納ボックス４の扉２を施錠している電気錠３を解錠する信号を出して解錠し、該収納ボックス４より貴重品を取り出すことができる。
【００２９】
なお、収納ボックス４の扉２を解錠した後、一定時間が経つと扉２が自動的に閉じられ、電気錠３が施錠状態にすることもできる。
【００３０】
よりセキュリティを高めるため、扉２が解錠されて比較的短い一定時間が経つと、自動的に扉２を自動開閉する扉の自動開閉機構（図示せず）で自動的に閉じて電気錠３で施錠できるものを使用することにより、第三者によって収納ボックス４内に不審物や爆発物を収納されたり、仕掛けたりするのを効率よく防止することができるが、あまり短いと収納ボックス４内からの貴重品の取り出しのための時間が短くなるので、使用に不都合が生じない一定時間を設定しなければならない。
[発明を実施するための異なる形態]
次に、図９ないし図１８に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３１】
図９ないし図１２に示す本発明を実施するための第２の形態において、前記本発明を実施するための第１の形態と主に異なる点は、複数個の収納ボックス４に使用中か空であるかを表示する表示装置としてのオン・オフランプ１０をそれぞれ設けるとともに、収納ボックス番号を入力することができる操作手段１１を筐体５に設け、この操作手段１１からのデータと施設側承認データ６、生体認証データをコンピュータ９Ａで処理記憶できるようにした点で、このような貴重品保管装置１Ａにすることにより、利用者が利用する収納ボックス４Ａを現場で選択して利用することができる。
この場合、前記施設側で承認を得た施設側承認データ６としては前記施設側承認データ読み取り手段７出読み取ることができる、利用者を施設側で特定することができる生体認証が使用される。
【００３２】
なお、表示装置としてオン・オフランプ１０を使用するものについて説明したが、ボックス番号を表示するものであってもよい。
【００３３】
また、操作手段１１からのデータを施設側承認データ６に入力したり、施設側または筐体内コンピュータ記憶媒体にそのデータを記憶できるようにしておくと、利用者が急病等になっても、施設側で急病等になった利用者の収納ボックスを解錠して、貴重品を間違いなくスムーズに返却することができる。
【００３４】
図１３ないし図１５に示す本発明を実施するための第３の形態において、前記本発明を実施するための第１の形態と主に異なる点は、ホテルの客室に設置されている扉２の施錠・解錠をそれぞれ設定された電気錠３で行なう収納ボックス４Ｂに施設側承認データ読み取り手段７、生体認証読み取り手段８、コンピュータ９Ｂを設置した設置した点で、このように構成した貴重品保管装置１Ｂにしても、前記本発明を実施するための第１の形態と同様な作用効果が得られる。
【００３５】
なお、施設側承認データ読み取り手段７、生体認証読み取り手段８は収納ボックス４Ｂのボックス側に設置してもよい。
【００３６】
図１６ないし図１８に示す本発明を実施するための第４の形態において、前記本発明を実施するための第１の形態と主に異なる点は、施設側承認データ６として生体認証を用いた点で、このように生体認証を施設側承認データ６とした貴重品保管装置１Ｃにしても、前記本発明を実施するための第１の形態と同様な作用効果が得られる。
【００３７】
なお、生体認証を施設側承認データ６とするためには、フロント等に生体認証読み取り手段１２を備えた端末１３を設置し、該端末１３の生体認証読み取り手段１２に利用者の生体認証部分を位置させ、生体認証を読み取り、有線あるいは無線で筐体５のコンピュータ９に入力できるようにしている。
【００３８】
このため、利用者はフロント等での生体認証を行なった後、筐体５に設けられた生体認証読み取り手段８に生体認証部分を位置させて、生体認証データを読み取らせ、前記施設側承認データ６と一致すると収納ボックス４の扉２を電気錠３で解錠できる。
【００３９】
なお、この実施の形態で使用する収納ボックス４の番号は、端末１３で施設側承認データ６と一緒にコンピュータ９に入力させたり、操作手段１１を用いて利用者に選択させたり、あるいはコンピュータ９が自動的に割り当てるようにしてもよい。
【産業上の利用可能性】
【００４０】
本発明はゴルフ場、銭湯、水泳プール、ホテル、スポーツジム、マンションの郵便受け等で使用される貴重品等を収納保管する貴重品保管装置を製造する産業で利用される。
【符号の説明】
【００４１】
１、１Ａ、１Ｂ、１Ｃ：貴重品保管装置、
２：扉          ３：電気錠、
４、４Ａ、４Ｂ：収納ボックス、  ５：筐体、  
６：施設側承認データ、
７：施設側承認データ読み取り手段、
８：生体認証読み取り手段、  ９、９Ａ、９Ｂ：コンピュータ、
１０：オン・オフランプ、    １１：操作手段、
１２：生体認証読み取り手段、  １３：端末。
【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
扉の施錠・解錠をそれぞれ設置された電気錠で行なう、少なくとも１個以上の収納ボックスを備えた貴重品保管装置において、前記収納ボックスあるいは複数個の収納ボックスを備えた筐体に設置され、あるいは該収納ボックスとは異なる場所に設置された、利用者を施設側で特定することができる施設側のフロントにおいてチエックインする時に登録された利用者の生体認証を用いた施設側承認データを読み取る施設側承認データ読み取り手段と、前記収納ボックスあるいは複数個の収納ボックスを備えた筐体に設置された生体認証読み取り手段と、前記収納ボックスあるいは複数個の収納ボックスを備えた筐体に設置された前記生体認証読み取り手段で読み取った生体認証データおよび前記施設側承認データ読み取り手段で読み取った施設側承認データを処理記憶するとともに、前記生体認証データおよび施設側承認データに基づいて、前記電気錠で施錠されている収納ボックスの扉の解錠信号を出して解錠し、該解錠した収納ボックス内に貴重品を収納して施錠し、施錠された収納ボックスより収納した貴重品を取り出す場合に前記生体認証読み取り手段で生体認証データを再度読み取り、貴重品預け入れ時の生体認証データと一致し場合にだけ解錠できる信号を前記電気錠に出すコンピュータとからなることを特徴とする貴重品保管装置。
【手続補正２】
【補正対象書類名】明細書
【補正対象項目名】全文
【補正方法】変更
【補正の内容】
【発明の詳細な説明】
【技術分野】
【０００１】
本発明は利用者を特定することができ、第三者が爆発物を収納したり、仕掛けたりする不正使用を防止して、利用者が安全に貴重品等を保管でき、かつ解錠時には暗証番号の記憶やＩＣカードやキーが不要で、これらの管理が不要な、ゴルフ場や銭湯、水泳プール、ホテル等で使用される貴重品保管装置に関する。
【背景技術】
【０００２】
ゴルフ場やスポーツジムのように不特定多数の利用者が来場し、利用者が施設滞在中に貴重品を身体から離さざるを得ない状況が生じる場合では、暗証番号を入力して施錠・解錠を行なう集合型の貴重品保管装置が設置されている。
【０００３】
特にゴルフ場においては、プレーフィーが高額であり、利用者が多額の現金やクレジットカード類を持参するために、利用者の貴重品の取り扱いは重要である。
【０００４】
利用者も多額の現金やクレジットカードを入れた財布を持参する必要があるにもかかわらず、プレーする際には財布を持ち歩くとじゃまで、紛失の恐れがあるのでゴルフ場が貴重品袋を用意して利用者の貴重品を預かるか、暗証番号をキーとした集合型の貴重品保管装置をフロント近くに設置して、利用者に利用させている。
【０００５】
貴重品保管装置の鍵としては、利用者に現物の鍵を渡すと紛失に伴う盗難の危険や、鍵管理の煩雑さから、利用者に暗証番号を入力させる方法や、指紋認識センサーなどの生体認証センサーで収集した人体認証データを利用して収納ボックスの施錠・解錠を行なう装置が、下記特許文献１に開示されているように、貴重品保管装置などに応用されている。
【０００６】
しかし、従来の貴重品保管装置においては、利用者が暗証番号を入力しなければならないので、操作手順が多く、また、暗証番号を失念しないように生年月日や電話番号を設定している利用者が後を絶たないため、第三者に暗証番号を把握されている場合があり、盗難の一因となっている。
【０００７】
また、最初に暗証番号を入力する時に、キー操作を誤って、利用者が思い込んでいる暗証番号とは異なる暗証番号を入力してしまうと、貴重品を取り出す 時に利用者が思い込んでいる暗証番号を入力しても解錠できなくなる。このような状態の時、施設側で解錠することになるが、施設側が利用者が使用している収納ボックスを特定することができず、解錠した収納ボックス内の貴重品が利用者本人のものかを判断するのが非常に難しいという問題があった。
【０００８】
このように、利用者の貴重品保管装置の誤操作に基づくトラブルや、第三者が巧妙な手段により貴重品保管装置の暗証番号を把握して、貴重品を盗み取る例が後を絶たず、場合によっては、ゴルフ場の従業員が盗みに加わるような悪質な事例もあり、貴重品の管理に関する安全性や管理責任の所在について社会問題化しているのが現状である。
【０００９】
そこで、暗証番号を使用しないでＲＦＩＤタグを内蔵するＩＣカードをスコアカードホルダーなどに組み込み、このＲＦＩＤタグに格納されているＩＤデータと、生体確認センサーで収集した生体認証データとに基づいて、収納ボックスの扉の電磁錠を、施錠・解錠を行なう装置が下記特許文献２に開示されている。
【００１０】
しかしながら、この方法で収納ボックスの扉の電磁錠の解錠は、ＩＤデータおよび生体認証データと対照して行なうため、ＩＣカードを組み込んだスコアカードホルダーを、気を付けながら持ち歩かなければならないという欠点があった。
【先行技術文献】
【特許文献】
【００１１】
【特許文献１】特開２００５−１８５６２８号公報
【特許文献２】特許第４３９３４３８号公報
【発明の概要】
【発明が解決しようとする課題】
【００１２】
本発明は以上のような従来の欠点に鑑み、使用開始前の収納ボックスの扉は施錠されていて、第三者が不審物や爆発物を収納したり、仕掛けたりする不正使用を確実に防止することができるとともに、利用者は施設フロントにおいてチエックインする時に登録された施設側の承認データとして、承認された利用者の生体認証データと、フロントにおいてチエックインする時に登録された利用者の生体認証で収納ボックスの使用を開始し扉を解錠できるようにし、貴重品が収納されて施錠された収納ボックスの扉を生体認証だけで解錠できるようにした、利用者を特定でき、安全に貴重品の保管ができ、かつ収納ボックスの扉を解錠するためのキーやＩＣカードを持ち歩くことなく、持ち歩いても解錠するために使用することができず、確実、簡単で安全に解錠することができる貴重品保管装置を提供することを目的としている。
【００１３】
本発明の前記ならびにそのほかの目的と新規な特徴は次の説明を添付図面と照らし合わせて読むと、より完全に明らかになるであろう。
【００１４】
ただし、図面はもっぱら解説のためのものであって、本発明の技術的範囲を限定するものではない。
【課題を解決するための手段】
【００１５】
上記目的を達成するために、本発明は扉の施錠・解錠をそれぞれ設置された電気錠で行なう、少なくとも１個以上の収納ボックスを備えた貴重品保管装置において、前記収納ボックスあるいは複数個の収納ボックスを備えた筐体に設置され、あるいは該収納ボックスとは異なる場所に設置された、利用者を施設側で特定することができる施設側のフロントにおいてチエックインする時に登録された利用者の生体認証を用いた施設側承認データを読み取る施設側承認データ読み取り手段と、前記収納ボックスあるいは複数個の収納ボックスを備えた筐体に設置された生体認証読み取り手段と、前記収納ボックスあるいは複数個の収納ボックスを備えた筐体に設置された前記生体認証読み取り手段で読み取った生体認証データおよび前記施設側承認データ読み取り手段で読み取った施設側承認データを処理記憶するとともに、前記生体認証データおよび施設側承認データに基づいて、前記電気錠で施錠されている収納ボックスの扉の解錠信号を出して解錠し、該解錠した収納ボックス内に貴重品を収納して施錠し、施錠された収納ボックスより収納した貴重品を取り出す場合に前記生体認証読み取り手段で生体認証データを再度読み取り、貴重品預け入れ時の生体認証データと一致し場合にだけ解錠できる信号を前記電気錠に出すコンピュータとで貴重品保管装置を構成している。
【発明の効果】
【００１６】
以上の説明から明らかなように、本発明にあっては次に列挙する効果が得られる。
（１）請求項１により、収納ボックスの扉の施錠・解錠を電気錠で行ない、利用者を施設側で特定することができる施設側のフロントにおいてチエックインする時に登録された利用者の生体認証を用いた施設側承認データと利用者の生体認証データとで使用前の収納ボックスの扉を解錠するので、第三者が不審物や爆発物を収納ボックス内へ収納したり、仕掛けたりする不正使用を確実に防止することができる。
（２）前記（１）により、貴重品を収納する収納ボックスの扉を施錠・解錠する電気錠を、利用者を施設側で特定することができる施設側のフロントにおいてチエックインする時に登録された利用者の生体認証を用いた施設側承認データを施設側承認データ読み取り手段で読み取った施設側承認データと利用者の生体認証データで特定、解錠することができる。
したがって、安心して使用できるとともに、施設側は施設側承認データで利用者がどの収納ボックスを使用しているかを知ることができ、利用者が急病等で解錠ができなかっても、施設側が解錠して利用者に利用者が収納した貴重品を間違いなく返却することができる。
（３）前記（１）により、貴重品を収納した収納ボックスを解錠して、収納した貴重品を取り出す場合、生体認証読み取り手段で、利用者の生体認証を読み取らせた生体認証データと貴重品預け入れ時の生体認証データとが一致すると、預け入れした収納ボックスから貴重品を取り出すことができる。  
【００１７】
すなわち、収納ボックスの扉を電気錠で施錠後は、利用者の生体認証データだけで解錠できるので、従来のようにＩＣカードやキーの所持が不要で、安全で楽に使用することができる。
【００１８】
また、貴重品を保管した時の施設側の承認データを持ち歩いても、収納ボックスの解錠には使用することができないので、盗難や紛失に気を付けた持ち歩きをしなくても、安全で、気楽に使用することができる。
【図面の簡単な説明】
【００１９】
【図１】本発明を実施するための第１の形態の斜視図。
【図２】本発明を実施するための第１の形態の施設側の承認データの読み取り状態の説明図。
【図３】本発明を実施するための第１の形態の生体認証データの読み取り状態の説明図。
【図４】本発明を実施するための第１の形態のブロック図。
【図５】本発明を実施するための第１の形態の貴重品を収納する時の説明図。
【図６】本発明を実施するための第１の形態の貴重品を取り出す時の説明図。
【図７】本発明を実施するための第１の形態の貴重品を収納する時の動作手順を示すフローチャートである。
【図８】本発明を実施するための第１の形態の貴重品を取り出す時の動作手順を示すフローチャートである。
【図９】本発明を実施するための第２の形態の斜視図。
【図１０】本発明を実施するための第２の形態の施設側の承認データの読み取り状態の説明図。
【図１１】本発明を実施するための第２の形態の生体認証データの読み取り状態の説明図。
【図１２】本発明を実施するための第２の形態のブロック図。
【図１３】本発明を実施するための第３の形態の斜視図。
【図１４】本発明を実施するための第３の形態の使用開始態の説明図。
【図１５】本発明を実施するための第３の形態のブロック図。
【図１６】本発明を実施するための第４の形態の説明図。
【図１７】本発明を実施するための第４の形態の使用開始態の説明図。
【図１８】本発明を実施するための第４の形態のブロック図。
【発明を実施するための形態】
【００２０】
以下、図面に示す本発明を実施するための形態により、本発明を詳細に説明する。
【００２１】
図１ないし図８に示す本発明を実施するための第１の形態において、１はゴルフ場、銭湯、水泳プール、ホテル等の貴重品を身体より離れたところで保管したり、貴重品を保管、収納する場合に使用される本発明の貴重品保管装置で、この貴重品保管装置１は収納ボックス４の扉２の施錠・解錠を電気錠で行なう、複数個の収納ボックス４を備えた筐体５と、この筐体５に設置された、利用者を施設側で特定することができる施設側で承認を得た施設側承認データ６を読み取る施設側承認データ読み取り手段７と、前記筐体５に設置された生体認証読み取り手段８と、前記筐体５の下部位置に設けられた前記生体認証読み取り手段で読み取った生体承認データおよび前記施設側承認データ読み取り手段７で読み取った施設側承認データ６を処理記憶するとともに、前記生体認証データおよび施設側承認データに基づいて、前記電気錠３で施錠されている収納ボックス４の扉２の解錠信号を出して解錠し、該解錠した収納ボックス４内に貴重品を収納して施錠し、あるいは一定時間後に自動的に施錠し、施錠した収納ボックス４より収納した貴重品を取り出す場合に 、前記生体認証読み取り手段８で生体認証を再度読み取り、貴重品預け入れ時の生体認証データと一致した場合にだけ解錠できる信号を、前記電気錠３に出すコンピュータ９とで構成されている。
【００２２】
なお、前記施設側承認データ読み取り手段７や生体認証読み取り手段８は、利用者が操作しやすい筐体５の中央上部寄りの部位に配置するとよい。
【００２３】
また、前記電気錠３は前記コンピュータ９からの電気信号で解錠・施錠できるものであれば、どんな構造のものであってもよく、当然に電磁錠も含まれるものであり、信号を受けて機械的に動作をするものでもよい。
【００２４】
前記施設側で承認を得た施設側承認データ６は前記施設側承認データ読み取り手段７で読み取ることができる生体認証が使用されている。
なお、施設側承認データ６として生体認証を用いる場合には、施設側のフロント等で事前登録しておくことにより可能となる。この場合、生体認証読み取り手段８またはフロント等、筐体５とは異なる場所に設置された生体認証読み取り手段で読み取った生体認証データが施設側承認データにもなる。
また、施設側の承認は、その施設の都合により一度や一日の使用に限られるものと、複数回使用できるものとにすることができる。
前記施設側承認データ読み取り手段７は、前記施設側承認データ６を読み取れる生体認証リーダが使用される。
前記生体認証読み取り手段８は指紋リーダ、掌紋リーダ、光彩模様リーダ、顔の輪郭リーダ、声紋リーダ、静脈リーダ等のいずれか、あるいはこれらを２個以上任意に組み合わせたものが使用されている。
なお、生体認証読み取り手段８で使用される指紋リーダ、掌紋リーダ、光彩模様リーダ、顔の輪郭リーダ、声紋リーダ、静脈リーダはいずれも既存のものが使用される。
【００２５】
上記構成の貴重品保管装置１を使用する場合にはフロントにおいてチエックインする時、利用者の生体認証を施設側承認データ６として登録して、貴重品保管装置１の設置場所へ行く。  
【００２６】
この時、フロントであらかじめ使用する収納ボックス４の番号を自動的に設定したり、あるいは空いている収納ボックス４を利用者に選択させて設定し、該施設側承認データ６または筐体５のコンピュータ９の記憶媒体に記入あるいは入力保存しておく。なお、入力方法は手動、オンライン、無線等による。
【００２７】
貴重品を預け入れる場合、施設側承認データ６を筐体５の施設側承認データ読み取り手段７で読み取り、コンピュータ９で処理記憶させるとともに、生体認証読み取り手段８に生体認証部分を位置させて生体認証データを読み取らせ、コンピュータ９で処理させることにより、あらかじめ設定された、もしくはコンピュータにより任意に選択された収納ボックス４の扉２を施錠している電気錠３に解錠信号を出して解錠する。
【００２８】
この解錠状態の収納ボックス４内へ貴重品を収納し、扉２を閉じることにより電気錠３が施錠状態となる。
【００２９】
また、収納ボックス４内に貴重品を収納した状態でも、利用者が該収納ボックス４の近傍にいる間の時間を一定時間に設定されていると、自動的に収納ボックス４の扉２を閉じて、電気錠３が施錠状態とすることもできる。
【００３０】
次に、収納ボックス４内に収納した貴重品を取り出す場合、筐体５より生体認証読み取り手段８に生体認証部分を位置させることにより、読み取った生体認証データがコンピュータ９の貴重品預け入れ時の生体認証データと一致すると、その利用者の収納ボックス４の扉２を施錠している電気錠３を解錠する信号を出して解錠し、該収納ボックス４より貴重品を取り出すことができる。
【００３１】
なお、収納ボックス４の扉２を解錠した後、一定時間が経つと扉２が自動的に閉じられ、電気錠３が施錠状態にすることもできる。
【００３２】
よりセキュリティを高めるため、扉２が解錠されて比較的短い一定時間が経つと、自動的に扉２を自動開閉する扉の自動開閉機構（図示せず）で自動的に閉じて電気錠３で施錠できるものを使用することにより、第三者によって収納ボックス４内に不審物や爆発物を収納されたり、仕掛けたりするのを効率よく防止することができるが、あまり短いと収納ボックス４内からの貴重品の取り出しのための時間が短くなるので、使用に不都合が生じない一定時間を設定しなければならない。
[発明を実施するための異なる形態]
次に、図９ないし図１８に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３３】
図９ないし図１２に示す本発明を実施するための第２の形態において、前記本発明を実施するための第１の形態と主に異なる点は、複数個の収納ボックス４に使用中か空であるかを表示する表示装置としてのオン・オフランプ１０をそれぞれ設けるとともに、収納ボックス番号を入力することができる操作手段１１を筐体５に設け、この操作手段１１からのデータと施設側承認データ６、生体認証データをコンピュータ９Ａで処理記憶できるようにした点で、このような貴重品保管装置１Ａにすることにより、利用者が利用する収納ボックス４Ａを現場で選択して利用することができる。
この場合、前記施設側で承認を得た施設側承認データ６としては前記施設側承認データ読み取り手段７で読み取ることができる、利用者を施設側で特定することができる生体認証が使用される。
【００３４】
なお、表示装置としてオン・オフランプ１０を使用するものについて説明したが、ボックス番号を表示するものであってもよい。
【００３５】
また、操作手段１１からのデータを施設側承認データ６に入力したり、施設側または筐体内コンピュータ記憶媒体にそのデータを記憶できるようにしておくと、利用者が急病等になっても、施設側で急病等になった利用者の収納ボックスを解錠して、貴重品を間違いなくスムーズに返却することができる。
【００３６】
図１３ないし図１５に示す本発明を実施するための第３の形態において、前記本発明を実施するための第１の形態と主に異なる点は、ホテルの客室に設置されている扉２の施錠・解錠をそれぞれ設定された電気錠３で行なう収納ボックス４Ｂに施設側承認データ読み取り手段７、生体認証読み取り手段８、コンピュータ９Ｂを設置した設置した点で、このように構成した貴重品保管装置１Ｂにしても、前記本発明を実施するための第１の形態と同様な作用効果が得られる。
【００３７】
なお、施設側承認データ読み取り手段７、生体認証読み取り手段８は収納ボックス４Ｂのボックス側に設置してもよい。
【００３８】
図１６ないし図１８に示す本発明を実施するための第４の形態において、前記本発明を実施するための第１の形態と主に異なる点は、施設側承認データ６として生体認証を用いた点で、このように生体認証を施設側承認データ６とした貴重品保管装置１Ｃにしても、前記本発明を実施するための第１の形態と同様な作用効果が得られる。
【００３９】
なお、生体認証を施設側承認データ６とするためには、フロント等に生体認証読み取り手段１２を備えた端末１３を設置し、該端末１３の生体認証読み取り手段１２に利用者の生体認証部分を位置させ、生体認証を読み取り、有線あるいは無線で筐体５のコンピュータ９に入力できるようにしている。
【００４０】
このため、利用者はフロント等での生体認証を行なった後、筐体５に設けられた生体認証読み取り手段８に生体認証部分を位置させて、生体認証データを読み取らせ、前記施設側承認データ６と一致すると収納ボックス４の扉２を電気錠３で解錠できる。
【００４１】
なお、この実施の形態で使用する収納ボックス４の番号は、端末１３で施設側承認データ６と一緒にコンピュータ９に入力させたり、操作手段１１を用いて利用者に選択させたり、あるいはコンピュータ９が自動的に割り当てるようにしてもよい。
【産業上の利用可能性】
【００４２】
本発明はゴルフ場、銭湯、水泳プール、ホテル等で使用される貴重品等を収納保管する貴重品保管装置を製造する産業で利用される。
【符号の説明】
【００４３】
１、１Ａ、１Ｂ、１Ｃ：貴重品保管装置、
２：扉          ３：電気錠、
４、４Ａ、４Ｂ：収納ボックス、  ５：筐体、  
６：施設側承認データ、
７：施設側承認データ読み取り手段、
８：生体認証読み取り手段、  ９、９Ａ、９Ｂ：コンピュータ、
１０：オン・オフランプ、    １１：操作手段、
１２：生体認証読み取り手段、  １３：端末。